(57)【特許請求の範囲】
【請求項１】
本体と、付属カバーとを備える無線通信デバイスであって、前記デバイスが、前記本体の少なくとも一部分が覆われる閉じた状態と、前記閉じた状態において覆われる前記一部分の少なくともある部分が露出する開いた状態とを有し、前記デバイスが、
通話機能と、電話帳機能と、英数字からなるメッセージの作成、送信及び受信機能とを備え、前記デバイスはさらに、
無線伝送を介してデータを受信する受信手段と、
前記閉じた状態では前記付属カバーによって覆われ、前記開いた状態では露出するよう配置されたディスプレイと、
前記本体の閉じた状態において覆われる部分に形成され、複数の独立した機能モードを備えたユーザ入力デバイスと、
前記ディスプレイを制御するプロセッサと、を備え、
前記複数の独立した機能モードは、いずれも前記ユーザ入力デバイスの操作のみによって実行することができ、
前記ユーザ入力デバイスを上向きに押す操作にともなう第１の機能モードと、
前記ユーザ入力デバイスを下向きに押す操作にともなう第２の機能モードと、
前記ユーザ入力デバイスを左向きに押す操作にともなう第３の機能モードと、
前記ユーザ入力デバイスを右向きに押す操作にともなう第４の機能モードと、
前記ユーザ入力デバイスを内側に押下する操作にともなう第５の機能モードと、
からなり、
前記デバイスが開いた状態にあるとき、前記ユーザ入力デバイスは、ナビゲーション・モード、テキスト編集・モード及びアイドル・モードのいずれかで動作し、
前記プロセッサは、前記ナビゲーション・モードでは、
前記第１の機能モードに応答して上向きにスクロールを行い、
前記第２の機能モードに応答して下向きにスクロールを行い、
前記第３の機能モードに応答してメニュー内で１つ前のより高いレベルに戻り、
前記第４の機能モードに応答してユーザが使用可能なオプションを前記ディスプレイ上に表示し、
前記第５の機能モードに応答してメニューの次のレベルに進むか、またはそれ以上のレベルがない場合には、ユーザが使用可能なオプションを前記ディスプレイ上に表示するよう動作することを特徴とする無線通信デバイス。
【請求項２】
本体と、付属カバーとを備える無線通信デバイスであって、前記デバイスが、前記本体の少なくとも一部分が覆われる閉じた状態と、前記閉じた状態において覆われる前記一部分の少なくともある部分が露出する開いた状態とを有し、前記デバイスが、
通話機能と、電話帳機能と、英数字からなるメッセージの作成、送信及び受信機能とを備え、前記デバイスはさらに、
無線伝送を介してデータを受信する受信手段と、
前記閉じた状態では前記付属カバーによって覆われ、前記開いた状態では露出するよう配置されたディスプレイと、
前記本体の閉じた状態において覆われる部分に形成され、複数の独立した機能モードを備えたユーザ入力デバイスと、
前記ディスプレイを制御するプロセッサと、を備え、
前記複数の独立した機能モードは、いずれも前記ユーザ入力デバイスの操作のみによって実行することができ、
前記ユーザ入力デバイスを上向きに押す操作にともなう第１の機能モードと、
前記ユーザ入力デバイスを下向きに押す操作にともなう第２の機能モードと、
前記ユーザ入力デバイスを左向きに押す操作にともなう第３の機能モードと、
前記ユーザ入力デバイスを右向きに押す操作にともなう第４の機能モードと、
前記ユーザ入力デバイスを内側に押下する操作にともなう第５の機能モードと、
からなり、
前記デバイスが開いた状態にあるとき、前記ユーザ入力デバイスは、ナビゲーション・モード、テキスト編集・モード及びアイドル・モードのいずれかで動作し、
前記プロセッサは、前記アイドル・モードでは、
前記第５の機能モードに応答して、状況に応じて異なる予め定義された機能を実行するよう動作することを特徴とする無線通信デバイス。
【請求項３】
本体と、付属カバーとを備える無線通信デバイスであって、前記デバイスが、前記本体の少なくとも一部分が覆われる閉じた状態と、前記閉じた状態において覆われる前記一部分の少なくともある部分が露出する開いた状態とを有し、前記デバイスが、
通話機能と、電話帳機能と、英数字からなるメッセージの作成、送信及び受信機能とを備え、前記デバイスはさらに、
無線伝送を介してデータを受信する受信手段と、
前記閉じた状態では前記付属カバーによって覆われ、前記開いた状態では露出するよう配置されたディスプレイと、
前記本体の閉じた状態において覆われる部分に形成され、複数の独立した機能モードを備えたユーザ入力デバイスと、
前記ディスプレイを制御するプロセッサと、を備え、
前記複数の独立した機能モードは、いずれも前記ユーザ入力デバイスの操作のみによって実行することができ、
前記ユーザ入力デバイスを上向きに押す操作にともなう第１の機能モードと、
前記ユーザ入力デバイスを下向きに押す操作にともなう第２の機能モードと、
前記ユーザ入力デバイスを左向きに押す操作にともなう第３の機能モードと、
前記ユーザ入力デバイスを右向きに押す操作にともなう第４の機能モードと、
前記ユーザ入力デバイスを内側に押下する操作にともなう第５の機能モードと、
前記ユーザ入力デバイスを内側に押下しながら一方向に保持する操作にともなう第６の機能モードと、
からなり、
前記デバイスが開いた状態にあるとき、前記ユーザ入力デバイスは、ナビゲーション・モード、テキスト編集・モード及びアイドル・モードのいずれかで動作し、
前記プロセッサは、
前記第６の機能モードに応答して高速の連続スクロールを行い、
前記第６の機能モードの内側の押下の解除に応答して連続スクロールの速度を減速するよう動作することを特徴とする無線通信デバイス。
【請求項４】
前記プロセッサが、
前記デバイスが前記閉じた状態にある時に、情報を受信したことを示す表示を提供するように動作可能であり、
前記カバーの動きに関連する機能を実行することができることを特徴とする請求項１乃至３のいずれか１つに記載の無線通信デバイス。
【発明の詳細な説明】
【技術分野】
【０００１】
本発明は、無線通信デバイスに係り、特にカバーまたはフリップを有するデバイスに関する。
【背景技術】
【０００２】
現在の移動電話機は、通常、電話機のキーパッドおよびディスプレイの全部または一部を覆うカバーまたはフリップを有する。ディスプレイでなくキーパッドを覆うことの利点は、ディスプレイを見ることができる状態でキーパッドを保護できることであるが、ディスプレイが損傷を受ける恐れがあるという欠点がある。ディスプレイおよびキーパッドを覆うことの利点は、ディスプレイを保護できることであるが、ディスプレイを見るためにまずカバーを開け、次にメニューをナビゲートしなければ、特定の機能にアクセスするためにデバイスのメニュー構造に入ることができないという欠点がある。それ故、ＳＭＳメッセージを受信したり不在着信を受信した場合、迅速かつ個別に、メッセージの内容または、誰が呼出したのかを知ることはできない。
【発明の概要】
【発明が解決しようとする課題】
【０００３】
この状況を改善するのは望ましいことである。
【課題を解決するための手段】
【０００４】
１つの態様によれば、本発明は、請求項１に記載の通信デバイスを提供する。
【図面の簡単な説明】
【０００５】
【図１】（ａ）は閉じた状態における電話機の前面図であり、（ｂ）は閉じた状態における電話機の側面図である。
【図２】（ａ）は開いた状態における電話機の前面図であり、（ｂ）は開いた状態における電話機の側面図である。
【図３】電話機の略図である。
【図４】電話機のジョイスティックを示すである。
【図５】電話機のメニュー構造を示す図である。
【図６】本発明によるデータ入力の第１の方法である。
【図７】本発明によるデータ入力の第２の方法である。
【図８】開いた状態における電話機の前面図である。
【図９】本発明によるデータ入力の第３の方法である。
【図１０】本発明によるデータ入力の第４の方法である。
【図１１】本発明によるスクロール速度を変化させる方法である。
【図１２】電話機の電源スイッチの複数の機能を示すフローチャートである。
【図１３】種々のアイドル画面を示す図である。
【図１４】簡単アクセス・ボタンの機能を示す図である。
【図１５】簡単アクセス・ボタンの機能を示す図である。
【図１６】種々のメッセージ画面を示す図である。
【図１７】（ａ）はメニュー５０からメッセージ機能へアクセスする方法を示す図であり、（ｂ）は表示されたメッセージまたは発呼者の詳細がとりうる種々のフォーマットを示す図である。
【図１８】カバーを開いた状態で受信した場合にメッセージを読む方法を示す図である。
【図１９】最初、カバーを閉じた状態で受信した場合に簡単アクセス・キーによりメッセージを読み、次に、選択的にカバーを開いてメッセージを読む方法を示す図である。
【図２０】カバーを閉じた状態で受信した場合に簡単アクセス・ボタンを使用せず、カバーを開くことによりメッセージを読む方法を示す。
【発明を実施するための形態】
【０００６】
本発明をもっとよく理解してもらうために、また、その実行方法を理解してもらうために、添付の図面を参照しながら例示的に説明する。
図１および２は、電話機２を示す。電話機は、本体部分４と、ヒンジ５により接続されたカバー部分６とを有する。カバーは、図１（ａ）（前面図）および１（ｂ）（側面図）に示す、閉じた位置と、図２（ａ）（前面図）および２（ｂ）（側面図）に示す、開いた位置との間を移動することができる。
【０００７】
本体部分４は、電話機の背部を形成している背面７と、電話機の側部を形成している横側面８ａおよび８ｂと、電話機の上部を形成している上側面１０と、電話機の底部を形成している下側面１２と、カバーが開いた位置にある時には露出し、閉じた位置にある時には隠れる前面１４とを含む。本体は、その上側面１０にアンテナ１６を、その下側面１２にマイクロホン１８を、その横側面８にカバーオープンボタン２０、音声ダイヤル・ボタン２２、および電源ボタン２４を有し、その前面１４にディスプレイ２６、およびジョイスティックであることが好ましいユーザ入力デバイス２８を有する。上記ボタンは、ユーザにより動作可能である。本体は、また、カバーを開閉した場合に作動する、カバーの位置を検出するヒンジ・スイッチ３０（図示せず）を有する。
【０００８】
カバー部分６は、カバーが閉じた位置にある場合に接触可能な外部面３２と、カバーが閉じた位置にある場合には接触不可能であるが、カバーが開いた位置にある場合に露出する内面３４とを備える。カバー部分は、その外面３２に、容易にアクセスすることができるボタン３６およびスピーカ３８を有する。カバー部分は、その内面３４にスピーカ４０を有する。カバーは、また、カバー全体に広がる開口部４２を持つ。上記開口部は、カバーが閉じた位置にある場合に、ユーザが開口部４２を通してディスプレイ２６の第１の部分２６ａだけを見ることができるように配置され、それに適した大きさを持つ。開口部は、ユーザがディスプレイの第１の部分２６ａを見ることができるように透明な材料で覆われる。
【０００９】
カバーが閉じられた位置にある場合、カバーの内面３４は、本体４の前面１４と接する。カバーは、入力デバイス２８およびディスプレイ２６を覆うような大きさおよび構成であり、したがってユーザはこれらにアクセスできない。しかし、ユーザは、開口部４２を通してディスプレイ２６の一部２６ａを見ることができる。
【００１０】
カバーが開いた位置にある場合には、本体の前面１４およびカバー６の内面３４は、１３５〜１７５度の傾斜角を形成する。この相対的配置の場合には、ディスプレイ２６の全体が露出し、ユーザ入力デバイス２８が露出し、本体４の下側面１２にあるマイクロホン１８とカバー６の内面３４にあるスピーカ４０との間の距離は最大になる。
この実施例における電話機の大きさは、長さ約６０ｍｍ、幅約４０ｍｍ、奥行き約２０ｍｍである。ディスプレイの大きさは、２．１×１．４ｃｍ（８４×４８ピクセル）である。
【００１１】
図３は、電話機２の略図である。電話機２は、上述したように、アンテナ１６、音声ダイヤル・ボタン２２、電源ボタン２４、入力デバイス（ジョイスティック）２８、ヒンジ・スイッチ３０、簡単アクセス・ボタン３６、マイクロホン１８、ディスプレイ２６、スピーカ４０および３８を有する。さらに、電話機は、プロセッサ４４、トランシーバ４６およびメモリ４８を有する。アンテナ１６は、トランシーバ４６に接続している。トランシーバは、データでコード化された無線周波数信号を受信するための受信回路を有する。
【００１２】
トランシーバ４６は、プロセッサ４４にデジタル方式でデータを供給するために、当業者にとって周知の方法で受信信号を処理する。このデータは、音声メッセージであってもよいし、または電話による会話の一部であってもよいが、後者の場合には、プロセッサ４４は、ユーザに音声出力を供給するためにスピーカ４０を制御する。また、データは、英数字メッセージの一部であってもよい。その場合、プロセッサ４４は、ディスプレイ２６上にメッセージを表示するように動作可能である。
【００１３】
トランシーバ４６は、マイクロホン１８により入力されたか、または入力デバイス２８により英数字文字として入力された、プロセッサ４４からのデジタル・データの供給を受ける送信回路を有する。送信回路は、そのデータでコード化された無線周波信号を生成する。プロセッサは、読み書き可能なメモリ４８に接続している。メモリ４８は、通常、プロセッサおよび電話機の機能を制御するソフトウェアを格納する。特に、上記ソフトウェアは、プロセッサによる入力への応答方法およびプロセッサが供給する出力を制御する。
【００１４】
プロセッサは、ディスプレイ２６およびスピーカ４０および３８に接続している。プロセッサは、これらデバイスが供給する出力を制御する。
プロセッサは、マイクロホン１８、入力デバイス（ジョイスティック）２８、ヒンジ・スイッチ３０、電源ボタン２４、音声ダイヤル・ボタン２２、および簡単アクセス・ボタン３６からの入力を受信するように構成されている。
【００１５】
カバーオープンボタン２０は、図３には示していない。何故なら、このボタンは電気的な動作とは対照的に、機械的にカバーを開けるからである。電話機の自然または低エネルギー構成は、カバーが開いている時である。カバーは開位置に位置するようにバイアスが掛けられている。ユーザがカバーを閉じると、カバーは、そのバイアス力に逆らってヒンジを中心に回転し、カバーと本体とが接触する。カバーは、この閉位置にラッチされる。カバーオープンボタンを作動させると、ラッチが外れ、カバーばパチンと開く。
【００１６】
アンテナ１６、トランシーバ４６、プロセッサ４４、メモリ４８、ディスプレイ２６、スピーカおよびマイクロホン１８は、電話機の標準機能である。これまでは、これらの機能は、電話帳または直接文字入力により電話をかけること、電話を受けること、メッセージの作成および送信、受信メッセージを読むこと、および電話帳の管理を含む標準機能を提供するために、キーパッドと結びついて動作してきた。しかし、電話機２においては、上記機能は、これらの標準機能を提供するために、ジョイスティック２８と結びついて動作する。
【００１７】
すでに、電話機ＮＯＫＩＡ６１１０の場合には、キーパッドは、１２個の英数字キーと、その機能が変化する２つのソフト・キーと、１つのスクロール・キーとを持つ。上記電話機の機能には、ソフト・キーおよびスクロール・キーによりナビゲートできるメニューを経由してアクセスすることができる。電話機２の場合には、電話機の機能には、ジョイスティック２８によりナビゲートすることができるメニューを通してアクセスすることができる。
【００１８】
図４は、ユーザの親指により動かすことができるジョイスティック２８を示す。ジョイスティックは、同時に左または右に押しながら、前に（ディスプレイの方向に）押すことができ、また、同時に上に押すかまたは後ろに（マイクロホンの方向に）引きながら、左または右に押すことができ、また、同時に左または右に引きながら、後ろに引くことができる。上記各動作に加え、ジョイスティックは同時に面１４の内部方向に押すことができる。ジョイスティック２８は静止位置を有し、ユーザが指でそれを動かしたり押したりした後で指を離した場合に、その静止位置に戻るように弾性的にバイアスが掛けられている。
【００１９】
ジョイスティックは、２つの異なるモードで動作する。ジョイスティックは、標準設定では、「テキスト編集」モードである場合を除いて、「ナビゲーション」モードで動作する。ナビゲーション・モードの場合には、ジョイスティックには５つの独立した相互に排他的な作動状態がある。
【００２０】
ジョイスティックを上に押すと、プロセッサは、メニューの現在のレベル内で上向きのスクロール機能を実行し、それに従ってディスプレイを更新する。ジョイスティックを後ろに引くと、プロセッサは、メニューの現在のレベル内で下向きのスクロール機能を実行し、それに従ってディスプレイを更新する。これらのスクロール機能は、ＮＯＫＩＡ６１１０におけるスクロール機能と同じものである。ジョイスティックを左に押すと、プロセッサは、メニュー内で１つ前のより高いレベルに戻る。ジョイスティックを右に押すと、プロセッサは、ユーザが使用可能なオプションをディスプレイ上に表示させるが、アイドル・モードの場合には、プロセッサはメニューを呼出す。ジョイスティックを内側へ押下すると、プロセッサは、メニューの次のレベルに進むか、またはそれ以上のレベルがない場合には、プロセッサは、ユーザが使用可能なオプションを表示させる。
【００２１】
図５は、メニュー５０のレイアウトを示す。まず、電話機に電源を入れると、電話機は、電話を待ち受けるか、またはユーザ操作を待つアイドル状態５４に入る。ジョイスティックはナビゲーション・モードである。ジョイスティックを右に押すと、メニュー５０に入る。メニューは、その第１レベル５２に７つの選択可能な項目を有する。これらの項目とは、ユーザがダイヤルするために電話番号を入力できるか、またはメモリから電話番号を選択できる番号ダイヤル５２１、着信呼を他の電話番号に転送するオプションを含む呼出し転送５２２、呼出し、電話機およびセキュリティに関連する設定を含む設定５２３、ユーザが電話機使用のモードをカスタマイズできるオプションを含むプロファイル５２４、そこから電話をかけることができる編集可能な電話帳である名前５２５、電話の呼出しの履歴を含む呼出し登録５２６、テキスト・メッセージを読んだり、作成したりするオプションを含むメッセージ５２７である。
【００２２】
ユーザは、ジョイスティックを上または下に押すことにより、ある項目から隣接する項目へ移動することができる。ユーザは、ある項目を選択し、ジョイスティックを内側に押下することにより、メニューの第２レベル５３に進むことができる。ユーザは、ジョイスティックを左に押すことにより、第１レベル５２からアイドル状態５４に戻ることができる。
メニューをナビゲートするためにジョイスティックを使用すること、英数字キーのキーパッドがないので、新しい電話番号ダイヤル項目５２１が供給され、必要な場合には、新しい英数字文字入力方法が各項目内に表示されていることを除けば、メニュー項目は、ＮＯＫＩＡ６１１０のメニュー項目と同じである。
【００２３】
アイドル・モードの場合には、ジョイスティックは、いくつかの予め定義された動作モードを持つ。ジョイスティックを後ろに引くと、名前メニュー５２５が表示される。ジョイスティックを内側に押下すると、最後にダイヤルした番号をリダイヤルするショートカットになる。英数字メッセージを受信した場合に、ジョイスティックを内側に押下すると、電話機は「ボックス内に」メッセージを表示させ、メッセージを読むことができる。着信呼を受信しているときに、ジョイスティックを内側に押下すると、その電話に出ることができる。
【００２４】
英数字文字入力が必要な場合には、ジョイスティックの「テキスト編集」モードをアクティブにする。このモードでは、ジョイスティックは、ポータブルコンピュータのキーボードに一体化されたカーソル制御デバイスと同じ方法で動作する。つまり、ディスプレイ２６上でカーソルまたは類似のセレクタの位置を制御する。さらに、ジョイスティックを押下することにより、選択した文字を入力できる。
【００２５】
「テキスト編集」モードでは、左にジョイスティックを短時間押すと、前の文字を消去することができる。左に長く（１〜２秒）押すと、それまで入力したすべてのテキストを消去することができる。この場合、後に電話機はアイドル・モードに戻る。
名前項目５２５、電話番号ダイヤル項目５２１または音声ダイヤルにより、電話機を使用して電話をかけることができる。
【００２６】
電話機が閉じている場合には、カバーを開けることにより着信呼に応答することができる。電話機が開いている場合には、ジョイスティックを内側に押下することにより、着信呼に応答することができる。カバーを閉じるか、またはジョイスティックを内側に押下することにより通話を終了させる。カバーが開いている場合には、ジョイスティックを左に押すことにより呼出しを拒否する。着信呼を受信している時のディスプレイのコンテンツは、カバーが開いているか閉じているかにかかわらず同じである。
【００２７】
次に、図５のメニュー構造に目を向けながら、図６を参照してこのメニュー構造をさらに詳細に説明する。
（例えば、電話をかけるなどの）電話機の機能に対し、文字とオペランドの混合メニューが使用される。この場合、番号ダイヤル・メニューにナビゲートするためにジョイスティックが使用され、ジョイスティックを内側に押下することによってこのメニューは選択される。メニューがディスプレイ上に表示され、ユーザは、適宜、ジョイスティックを前に押し、さらに後ろに引くことにより数字を選択する。数字の入力が完了すると、ユーザは、メニューから呼出しオペランド項目を選択し、呼出しが確立する。
【００２８】
図６は、「番号ダイヤル」メニュー項目５２１を表示しているディスプレイ２６を示す。図６において、左向きの矢印は、ジョイスティックを左に押すことを示し、右向きの矢印は、ジョイスティックを右に押すことを示し、上向きの矢印は、ジョイスティックを前に押すことを示し、下向きの矢印は、ジョイスティックを後ろに引くことを示し、記号・は、ジョイスティックを内側に押下することを示す。すでに説明したように、ジョイスティックを内側に押下することにより（６０２）、ユーザは番号ダイヤル・オプションを選択する。
【００２９】
次に、ディスプレイは、ディスプレイの右側にメニュー６０が表示されたテキスト入力モードに変化する。メニュー６０の項目は、例えば、呼出し、ＯＫ、名前、追加等のような英数字およびオペランドの両方を含む。これらのオペランドは、図６に示すように、テキスト文字または図によって表すことができる。電話機のアイコン６６は、呼出しオペランドを示す。それ故、ユーザは、ある行為を実行するために、別のメニューに移動しなくても、電話機の必要な機能にアクセスすることができる。
【００３０】
メニュー６０から選択するには、ユーザは、（メニュー内で上に移動したい場合には）ジョイスティックを前に押すことにより、または（メニュー内で下に移動したい場合には）ジョイスティックを後ろに引くことにより、メニュー内をスクロールする（６０４）。メニュー６０内の各項目は、メニュー内をスクロールする際に、ディスプレイの右下隅に強調表示される。希望する英数字を強調表示させたら、ユーザは、ジョイスティックを内側に押下することにより、上記文字を選択する（６０６）。次に、選択された文字６２が、メニュー６０の隣の、ディスプレイ２６の左側に表示される。この動作は、テキスト入力が終了するまで反復して行われる（６０８）。
【００３１】
番号の入力が終了すると、ユーザはジョイスティックを内側に押下することによりメニュー６０から電話機のアイコン６６を選択する（６１０）。次に、ディスプレイ２６が、このオペランドが実行中であることを示すように変化し（６１２）、デバイスは通話を確立しようとする。
すでに説明したように、何時でもジョイスティックを右に押すと（６１４）、その時にユーザが使用可能なオプションが表示され、何時でもジョイスティックを左に押すと（６１６）、現在のメニューから抜け出せる。
【００３２】
図７は、名前メニュー５２５が選択された場合に使用可能なメニューを示す。ユーザには、「名前の追加」オプション７２が与えられ、ユーザはメニュー７０内の英数字を使用して名前を入力する。この場合も、メニュー７０の項目は、例えば、ＯＫ、Ｃａｐｓ（大文字用）、挿入、終了等のような英数字およびオペランドの両方を含む。名前が入力されると、ユーザは、メニュー７０から、例えば、ＯＫなどの、希望するオペランドを選択する。このオペランドを選択した（７０２）場合には、ユーザに「番号追加」オプション７４およびオペランドおよび数字メニュー７６が提供される。上記名前と関連する番号が入力されると、ユーザはメニュー７６から、例えば、ＯＫなどの希望するオペランドを選択し、上記名前と番号が、電話帳入力として電話機のメモリ４８に記憶される（７０４）。適当なオペランドは、ＯＫ、挿入およびキャンセルである。
【００３３】
別な方法では、メニュー６０、７０、７６をディスプレイの下に水平に表示することができる。メニュー項目は同時に１つのラインに表示することができ、ジョイスティックの上下運動により、メニュー項目の連続するラインが表示され、ジョイスティックの左右の動きにより、メニュー６０のライン内の連続する項目が強調表示される。
【００３４】
また、画面上にオプションのメニューを表示させる必要なく、データを直接入力するのにも、ジョイスティックを使用できる。例えば、数字を入力するために、入力デバイス２８を使用できる。図８は、このようなジョイスティックの例を示す。図８の場合には、使用可能な文字についてのユーザへのフィードバックは、本体４の前面１４上のジョイスティックの周囲に提供される。別な方法としては、このフィードバックをディスプレイ２６上に表示することもできる。
【００３５】
このモードでは、ユーザは、ジョイスティックを使用して、例えば、ディスプレイ２６上の画像９０により番号を入力するよう促される（図９参照）。ユーザがジョイスティックを前に押すと、数字１、２または３を選択可能で、ユーザがジョイスティックを右に押すと、数字４、５または６を選択可能で、ユーザがジョイスティックを後ろに引くと、数字７、８または９を選択可能で、ユーザがジョイスティックを左に押すと、数字０および記号＊および＃を選択可能である。ジョイスティックを繰り返し１つの方向に押すと、使用可能な文字をスクロールできる。ユーザによる追加入力がなく所定の時間が経過した場合、またはユーザが短い時間の間ジョイスティックを内側に押下する（９０２）ことによって、文字を選択することができる。
【００３６】
ユーザが、ジョイスティックを押したり／引いたりし、次に、ジョイスティックを内側に押下することにより、上記番号を入力（９０４−９０８）した後、ユーザは、比較的長い時間（例えば、１〜２秒）ジョイスティックを内側に押す（９１０）。これにより、メニュー９４が表示される。ユーザは、ジョイスティックを内側に押下することにより（９１２）、適当な動作を選択し、デバイスはその動作を実行する。同様に、ジョイスティックを使用してアルファベットを入力することができる。このモードの場合には、ユーザは、ジョイスティックを使用して、例えば、ディスプレイ２６上の画像によりアルファベットを入力するよう促される。
【００３７】
ユーザがジョイスティックを前に押すと、文字ａ、ｂ、ｃ、ｄ、ｅ、ｆ、ｇを選択可能であり、ユーザがジョイスティックを右に押すと、文字ｈ、ｉ、ｊ、ｋ、ｌ、ｍを選択可能であり、ユーザがジョイスティックを後ろに引くと、文字ｎ、ｏ、ｐ、ｑ、ｒ、ｓ、ｔを選択可能であり、ユーザがジョイスティックを左に押すと、文字ｕ、ｖ、ｗ、ｘ、ｙ、ｚおよび「スペース」を選択可能である。ジョイスティックを繰り返し１つの方向に押すと、使用可能な文字をスクロールすることができる。ユーザによる追加入力がなく所定の時間が経過した場合、またはユーザが短い時間の間ジョイスティックを内側に押下することによって、文字を選択することができる。
デバイスは、デフォルトでデータ入力モードになるように構成できる。または、ユーザがデバイスのプロファイル５２４でオプションを選択することにより起動するモードにすることもできる。
【００３８】
図１０を参照しながら、データ入力のもう１つの方法について説明する。ユーザは、ジョイスティックを前に押すか、または後ろに引くことによって、３文字で構成されるブロック１０２単位で文字リスト１００をスクロールすることができる。ユーザは、希望する文字が強調表示されるまでジョイスティックを右に押し（１０４）、次に、短い時間だけジョイスティックを内側に押下することにより（１０５）１つの文字を選択する。ユーザは全項目を入力したら、比較的長い時間ジョイスティックを内側に押下する（１０６）。次に、動作のメニュー１０８が表示され、ユーザはジョイスティックを内側に押下することにより適当なものを選択する。
【００３９】
本発明の別の態様によれば、図１１に示すように、ジョイスティックの位置によりスクロールの速度が決まる。選択可能な項目は、メニュー内の項目をスクロールしている間に強調表示される。ジョイスティックを上または下に１回動かすと（１１０）、ディスプレイ（メニューまたはテキスト）が、１回に１行だけスクロールする。それ故、図１１の場合には、強調表示される項目は、ＢｒｕｃｅからＣａｒｌに変化する。ジョイスティックを内側に押下すると（１１１）、この項目が選択される。
【００４０】
ジョイスティックを上または下に動かし、その位置に保持すると（１１２）、項目を連続してスクロールすることができ、例えば、Ｂｒｕｃｅ、Ｃａｒｌ、Ｄｉａｎａ、Ｆｉｏｎａ、．．．Ｇｒａｈａｍ、Ｇｕｙを、ジョイスティックを離すまで、連続的にスクロールすることができる。ジョイスティックを内側に押下して（１１１）、強調表示された項目を選択する。
【００４１】
ジョイスティックを押しながら、ジョイスティックを上または下に動かし、その位置に保持する（１１３）と、連続スクロールの速度をもっと速くすることができる。それ故、ディスプレイは、Ｇｒａｈａｍ、Ｇｕｙ、Ｈｅｌｅｎから、（例えば、Ｓｕｓａｎ、Ｔｏｍ、Ｔｒｅｖｏｒなど）もっと下にあるメニューに以前より速い速度で変化する。それ故、リストが長い場合、ユーザは、希望する項目がある大体の場所に来るまで迅速にスクロールし、ジョイスティックを内側に押している力を抜いて、スクロール速度を遅くできる。次に、希望する項目にたどり着くまでジョイスティックを上（または下）の位置に保持することができる。ジョイスティックを解放し、ジョイスティックを内側に押すと（１１１）、強調表示された項目が選択される。
【００４２】
カバー６を開いた時に、ヒンジ・スイッチ３０が作動し、カバーを閉じた時にも、ヒンジ・スイッチ３０は作動する。このスイッチは、カバー６の内面３４が本体４の前面１４と成す角度が、いつ一定の鋭角の角度（例えば、５度）になったかを検出する。プロセッサは、ヒンジ・スイッチが作動した時に状態を変更するレジスタを保持する。それ故、プロセッサは、カバーが開いているか、閉じているかを認識している。プロセッサは、また、いつカバーが開かれ、いつ閉じられたかをヒンジ・スイッチ３０により検出する。
【００４３】
次に、図３の電話機の電源ボタン２４について説明する。このボタンは複数の機能を持つ。この実施形態の場合には、上記機能は、ボタン２４の操作方法および／または電話機の状態により決定される。図１２は、電源ボタンが作動した場合に、プロセッサ５０がどの機能を実行すべきかを決定する方法を示す。
【００４４】
プロセッサは、ユーザによる電源ボタン２４の操作を待機する（ステップ１２０）。ボタンが操作されると、プロセッサ５０はステップ１２１に進む。この場合、プロセッサ５０は、ボタンを押し下げ、放した場合（ショートプレス）と、ボタンを押し下げた状態に保持した後、放した場合（ロングプレス）とでは、違った応答をする。プロセッサは、ボタンからの入力を感知する。ボタンが作動すると、プロセッサはタイマーをスタートさせる。ボタンの作動が停止されると、プロセッサはタイマーを停止させる。タイマーのカウントが所定のしきい値より小さい場合には、プロセッサは、ユーザがショートプレスを実行し、ある機能またはその方法に関連する機能にアクセスしたがっていると判断する。従って、プロセッサはステップ１２２に進む。
【００４５】
また、タイマーのカウントが所定のしきい値（通常、１〜２秒）と等しいか大きい場合には、プロセッサは、ユーザがロングプレスを実行したと判断する（ステップ１２５）。この場合には、ロングプレスは電源オフ機能を示し、従って、プロセッサは、従来の方法でこの機能を実行する。
【００４６】
ステップ１２２に戻って説明すると、ショートプレスは単一の機能を示すものではない。つまり、機能は電話機の状態により異なる。アイドル・モード５４でない場合には、プロセッサはあらゆるメニューから抜け出し、電話機をアイドル・モード５４に戻す（ステップ１２４）。一方、電話機がすでにアイドル・モード５４になっている場合には、プロセッサは項目１２４を経由しても入ることができるプロファイル・メニューへのショートカットを実行する（ステップ１２３）。アイドル・モード時には、電源ボタンは、ＮＯＫＩＡ６１１０がアイドル・モード時に有する機能と同じ機能を持つ。
音声ダイヤル・ボタン２２により、ユーザは、電話機がアイドル状態にある場合に、音声コマンドにより番号をダイヤルすることができる。
【００４７】
この実施形態の場合には、ディスプレイは、電話機の状況により、アイドル状態時に異なる情報を含む。図１３は、異なる例を示す。図１３（ａ）は、カバーが開いた位置にあるか閉じた位置にあるかに従って、ディスプレイ上に表示される異なる情報を示す。図１３（ｂ）は、カバーが閉じた位置にあり、電話機にヘッドセットが接続されている場合の選択的なアイドル画面を示す。
【００４８】
図１３（ａ）は、カバーが閉じている場合に、ディスプレイの可視領域１３１および全ディスプレイ１３２上に表示された時のアイドル画面を示す。この図は、また、カバーが開いている場合に、ディスプレイ上に表示された時の画面をも示す。
【００４９】
図を見れば分かるように、カバーが閉じている場合には、アイドル画面のコンテンツは、カバーが開いている場合と比較すると分かるように、ネットワーク信号強度、バッテリおよび時間などの最も重要な情報だけに制限され、これらの情報は、ディスプレイの中心に位置する。このコンテンツに対してフォーマットも変化する。カバーが閉じている場合には、バッテリおよび信号インジケータは、ディスプレイの中心に向かって延びる円形設計であり、カバーが開いている場合には、バッテリおよび信号インジケータは、直線的な設計である。それ故、カバーが開いている場合と比較すると、カバーが閉じている場合には、画面のコンテンツは、より中心により、より単純で、より明快で、含まれる情報の量は少なくなる。
【００５０】
図１３（ｂ）は、電話機にヘッドセットが接続されている場合に、ディスプレイの可視領域に表示されるアイドル画面１３４および１３５を示す。この場合、初期周期の間「ヘッドセット」という言葉およびヘッドセットのアイコンを含む第１のアイドル画面１３４が表示される。この周期の経過後、プロセッサは、「ヘッドセット」という言葉が、時間に置き換えられた第２のアイドル画面１３５を表示するために、ディスプレイを制御する。
【００５１】
アイドル・モード画面は、製品の配置または使用により異なる場合がある。例えば、電話機が手首に装着するタイプのデバイスである場合には、そのアイドル画面は、時間ゾーン、アラームまたはアナログ時計風の見た目など顕著な時計機能を持つことができる。同様に、個人専用にすることができる装着用の製品は、ユーザ定義のビットマップを持つことができる。
【００５２】
簡単アクセス・ボタン３６は、電話機のカバーが閉じている場合には、複数の機能を持ち、カバーが開いていて、動作できない場合には、何の機能も持たない。この場合、複数の機能は、ボタンが同時に複数の機能を持つことを意味するのではない。ボタンは同時に複数の機能を持たない。どんな場合でも、ボタン３６は１つの機能しか持たない。しかし、その１つの機能は、電話機の状態によって、多くの機能の１つである場合がある。通常、ボタンが作動すると、所与の状況に最も適当な応答を提供する。ボタンが作動しても、事態を削除しないし、変更もしない。アラームが鳴った場合には、ボタンを作動して停止する。着信呼がある場合には、ボタンを作動して呼出音を弱める。メッセージを受信したばかりの場合には、作動してメッセージを開く。呼出しに失敗したばかりの場合には、作動して発呼者の詳細を与える。電話機がアイドル状態にある場合には、作動して最後にダイヤルした番号をリダイヤルする。
【００５３】
図１４および図１５は、簡単アクセス・ボタン３６が操作された場合に、プロセッサ５０がどの機能を実行するかを決定する方法を示す。
最初に、プロセッサ５０は、電話機のカバーが閉じているかどうかを判断する（ステップ１４１）。閉じている場合には、プロセッサは、ユーザが簡単アクセス・キーを操作するのを待つ（ステップ１４２）。しかし、電話機が開いている場合には、プロセッサが簡単アクセス・キーを動作不能にする（ステップ１４４）。これによって、電話機を完全に動作不能にする場合もあるし、部分的に動作不能にする場合もある。完全な動作不能は、例えば、キー操作にプロセッサが全然応答しない場合を含んでいて、そのため、キーを操作した場合に通常起こるディスプレイのバックライティング、可聴表示等も実行されない。一方、部分的動作不能は、単なる実際の機能またはキーに関連する機能の動作不能である。
【００５４】
プロセッサが簡単アクセス・キーの操作を検出すると、プロセッサは、ステップ１４２からステップ１４３に進む。ステップ１４３は、プロセッサによる電話機の状態の判断、結果として起こる機能の実行を含む。このことについては、図１５を参照しながらさらに詳細に説明する。
【００５５】
この実施形態の場合には、簡単アクセス・キーは、キーが操作された場合、電話機が５つの状態のどの状態にあるかにより、複数の機能を持つ。これら５つの状態は、すでに簡単に説明したように、着信呼、アラーム、ヘッドセット装着、アイドルおよびメッセージ受信である。
【００５６】
プロセッサ５０は、キーが操作された時に、電話機が着信呼の状態（判断１５１）またはアラーム状態（判断１５２）のどちらかの状態にあると判断した場合、プロセッサは、可聴インジケータまたはスピーカ３８を動作不能にする（ステップ１５６）。また、プロセッサ５０が、キーが操作された時に、ヘッドセットがデバイスに取り付けられていると判断した場合（判断１５３）、または電話機がアイドル状態にあると判断（判断１５１）した場合には、プロセッサは、最終番号リダイヤル・メニューにアクセスする。プロセッサは、また、ディスプレイ２６に最終番号リダイヤル・オプションを表示する。
【００５７】
電話機がメッセージ受信状態（判断１５５）にある場合に、簡単アクセス・キーが操作された時、プロセッサは受信メッセージを表示させる（ステップ１５８）。次に、プロセッサは、表示メッセージが１通だけかどうかを判断する（ステップ１５９）。１通だけの場合には、メッセージが完全に表示され、プロセッサは電話機をアイドル状態に戻す（ステップ１４６）。しかし、他にもメッセージがある場合には、プロセッサは簡単アクセス・キーがもう一度操作されるのを待つ（ステップ１４５）。所定の時間内に簡単アクセス・キーが操作されなかった場合には、プロセッサは電話機をアイドル状態に戻す（ステップ１４６）。しかし、一方、簡単アクセス・キーが所定の時間内に操作された場合には、この他のメッセージが表示される（ステップ１５８）。ステップ１５８、１５９および１４５は、すべてのメッセージが表示されるか、または簡単アクセス・キーが所定の時間内に操作されなくなるなで反復して行われる。
【００５８】
図１６は、カバーが閉じている場合に見られる２つのメッセージ画面を示す。メッセージを受信すると、電話機の状態はメッセージ受信状態に変化する。この変化に応じて、プロセッサは、画面１６１が示すように、ディスプレイに内容を表示させる。次に、簡単アクセス・キー（外部ボタン）が操作されると、画面１６２が示すように、メッセージがディスプレイ上でスクロールされ始める。この実施形態の場合には、表示された情報は、メッセージ送信者の名前または番号をメッセージの後に含む。簡単アクセス・キーが再び操作されると、次のメッセージがディスプレイ上でスクロールされ、同じことがメッセージの数だけ繰返される。最後のメッセージのスクロールが終わった後に、簡単アクセス・キーがもう一度操作されると、電話機はアイドル状態に戻る。
【００５９】
１つの不在着信または複数の不在着信を処理する手順は、１通の受信メッセージまたは複数の受信メッセージを処理する上記手順と類似している。不在着信が１つ発生した場合、発呼者の詳細は電話機のメモリに記憶され、電話機の状態は、不在着信状態に変化する。この変化に応じて、プロセッサは、例えば、「１件の不在着信あり」「２件の不在着信あり」のように、１つあるいは複数の不在着信があることを示すテキストをディスプレイ上に表示させる。次に、簡単アクセス・キーが操作された場合には、プロセッサはメモリから発呼者の詳細を検索し、それらをディスプレイ上をスクロールするテキストとして表示する。発呼者の詳細は、また、カバーが開いている場合には、簡単アクセス・キーを押さなくても自動的に表示される。上記詳細は、テキスト・メッセージの表示について以下で説明するように、静止形式またはスクロール形式で表示しても良い（図１７（ｂ））。
【００６０】
カバーの動きに関連するいくつかの機能、例えば、カバーを開けることにより着信呼に応答する機能、カバーを閉じることにより進行中の通話を終了する機能、電話機がアイドル・モードにある時に、カバーを開閉することによってディスプレイの内容を変化させる機能はすでに説明した。アクティブ・フリップに関連するもう１つの機能は、電話機がメニューのある項目内にいる場合に、フリップを閉じると、電話機がアイドル状態に戻る機能である。また、カバーを開けることは、受信メッセージを読むことに関連する機能を有する。
【００６１】
図１７は、メニュー構造からメッセージにアクセスするプロセスを示す。ジョイスティックによる上下方向へのスクロールにより、メニュー５０からメッセージ５２８を選択し、ジョイスティックを内側に押下すると、すべてのメッセージオプション１７１が表示される。すなわち、受信メッセージを記憶しているインボックス、メッセージを作成することができる作成、送信メッセージを記憶しているアウトボックス、メッセージ雛型等を記憶するテンプレート、およびインボックスおよびアウトボックスからのメッセージを記憶することができるアーカイブが表示される。インボックスという文字の隣のアイコンは、それが新しい（未読の）メッセージを含んでいることを示す矢印を含む。もし必要ならば「インボックス」を強調表示させるために上下方向にスクロールし、ジョイスティックを内側に押下することにより、メッセージオプション１７１内のインボックスを選択すると、インボックス１７２の内容が表示される。
【００６２】
インボックスの内容は、複数のメッセージである。Ｃｏｌｉｎの隣のアイコンは、このメッセージが未読メッセージであることを示す。必要に応じてジョイスティックにより上下方向にスクロールし、ジョイスティックを内側に押下してインボックス１７２内からメッセージＣｏｌｉｎを選択すると、メッセージの内容１７３が表示される。ジョイスティックを再び内側に押下すると、消去、編集、アーカイブ等のような多数のオプション１７４が表示される。ジョイスティックによりスクロールし、ジョイスティックを内側に押下することにより適当な項目を選択すると、その適当な機能が実行される。この例の場合には、消去が選択され、消去機能が実行される。次に、未読メッセージが残っている場合には、ディスプレイはインボックス１７２に戻り、未読メッセージが残ってない場合には、オプション１７１に戻る。
【００６３】
１７３に表示されるメッセージのフォーマットは、図１７（ｂ）に示すように、種々の形をとることができる。メッセージは、静的なもの（１７６）でも良く、ユーザは、ジョイスティックを上に押したり、下に引いたりすることにより、メッセージ内を上下にスクロールすることができる。メッセージは、数行にわたることができ、ディスプレイ内を１語ずつスクロールすることができる（１７７）。例えば、画面の最初の行の左上から１語が消えた場合には、メッセージ全体が移動し、その結果、次の語が、ディスプレイの左上隅に位置し、１語またはそれ以上の語が、ディスプレイの一番下の右隅に表示される。別の例１７８では、メッセージは１行で表示され、テープに印刷されたメッセージがディスプレイ内の固定ウィンドウを一定の速度で通過するかのように、メッセージは一度に１文字ずつ画面を横切ってスクロールされる。
【００６４】
カバーが開いているときにメッセージを受信すると、プロセッサは、メッセージ受信状態になり、アイドル・ディスプレイは、メッセージを受信したことを示すように変化する。この様子を、図１８に参照番号１８０で示す。ジョイスティックを内側に押下すると、インボックス１７２に入る。ジョイスティックを左に押すと、ディスプレイはアイドル・モードに戻る。ジョイスティックの上下および右への動きは、アイドル・モード時の受信メッセージ状態におけるのと同じ機能を持つ。
カバーが閉まっている時にメッセージを受信した場合、このメッセージにアクセスする方法は２つある。簡単アクセス・キーを押すことと、カバーを開くことである。
【００６５】
図１６のところですでに説明したように、電話機が閉じた状態でメッセージを受信し、簡単アクセス・キー（外部ボタン）を操作した場合には、図１７（ｂ）のフォーマット１７８に関連して説明したのと類似の方法で、メッセージの内容は１行で表示され、１度に１文字ずつ表示部分を横切ってスクロールされる。次に、カバーを開くと、表示のフォーマットが変化する。図１９はその様子を示す。テキストは、１行でディスプレイ内をスクロールしないで、好適には、静止フォーマット１７６で、または一度に数行を表示するスクロール・フォーマット１７７で表示することが好ましい。メッセージが静止フォーマット１７６で表示される場合には、メッセージは自動的にスクロールしないで、ジョイスティックにより、メッセージをスクロールすることにより内容を見ることができる。ジョイスティックを上に押すと、メッセージは上方向にスクロールされる。ジョイスティックを下に引くと、メッセージは下方向にスクロールされる。
【００６６】
カバーが閉じている場合にメッセージを受信した時、図１６に示すように、電話機はメッセージ受信状態１６１になる。次に、カバーを開くと、電話機は、図１７（ａ）に示す状態１７３になり、受信したメッセージの内容を表示する。内容のフォーマットは変更することができ、図１７（ｂ）ですでに説明したように、静止フォーマット１７６、複数行／スクロール・フォーマット１７７または１行／スクロール・フォーマットなどがある。図２０は、このプロセスを示す。
【００６７】
ユーザは、電話機がアイドル状態にある時に、音声ダイヤル・ボタン２２を使用すれば、音声コマンドにより電話番号をダイヤルすることができる。
ユーザ入力デバイス２８については、ジョイスティックを前提に説明してきたが、本発明は、例えば、上下、左右および内側に動かすことができるローラキーまたはロッカーキーなどの他のユーザ入力デバイスにも適用することができる。
【００６８】
本発明は、それが本発明に関連していてもいなくても、解決しようとする問題のどれかまたはすべてを緩和してもしなくても、明示または暗黙裏または任意にぼかした表現で説明した、新規な機能または機能の組合わせを含むことができる。上記の説明から、当業者であれば、本発明の範囲内で種々の修正を行うことができることは明白であろう。
【符号の説明】
【００６９】
２：電話機
４：本体部分
６：カバー部分
２６：ディスプレイ
２８：ユーザ入力デバイス
【図１】
0005563534.tif 000002
【図２】
0005563534.tif 000003
【図３】
0005563534.tif 000004
【図４】
0005563534.tif 000005
【図５】
0005563534.tif 000006
【図６】
0005563534.tif 000007
【図７】
0005563534.tif 000008
【図８】
0005563534.tif 000009
【図９】
0005563534.tif 000010
【図１０】
0005563534.tif 000011
【図１１】
0005563534.tif 000012
【図１２】
0005563534.tif 000013
【図１３】
0005563534.tif 000014
【図１４】
0005563534.tif 000015
【図１５】
0005563534.tif 000016
【図１６】
0005563534.tif 000017
【図１７】
0005563534.tif 000018
【図１８】
0005563534.tif 000019
【図１９】
0005563534.tif 000020
【図２０】
0005563534.tif 000021